Podtech/llm-jp-corpus-v4-ja_patent huggingface dataset:
(57)【要約】      （修正有）【課題】足が蒸れる事と汗をかいて冷たくなる不都合を解決する事。【解決手段】靴底（内部）に多くの穴をあける事で、また、多くの穴のあいた靴底を敷く事により通気性、指圧効果をあげる。【選択図】図２
2008302186.tif 000002
【特許請求の範囲】
【請求項１】
靴底、スリッパ、サンダル、中敷に多くの穴（５ｍｍ〜１０ｍｍ丸、８ｍｍ〜１５ｍｍ間隔）を開けた事を特徴とする履物。
【請求項２】
穴の型は丸穴、角穴（表面積２５ｍｍ２〜１００ｍｍ２）、花柄角穴（表面積２５ｍｍ２〜１００ｍｍ２）、ハート型角穴（表面積２５ｍｍ２〜１００ｍｍ２）の様な抽象的な形も含み、各種混ぜ合わせて並べる事も含む。
【請求項３】
穴を開ける底の材質はスポンジ状のもの（発泡ゴム発泡ウレタン等）で厚さは５ｍｍ〜６０ｍｍくらいとした事を特徴とする靴、スリッパ、サンダル、中敷。
【発明の詳細な説明】
【技術分野】
【０００１】  本発明は、靴底（内側）、スリッパ、サンダル、中敷に関するものであり、中敷、上底に穴を多数、底一面に開ける事により保温性、通気性の向上、新しい足つぼマッサージの効果の向上をはかったものある。
【技術背景】
【０００２】  従来から靴、中敷に関して多くの種類があり、また多く発明等なされているが、なかんずく多くの小さい突起物を並べた靴や、一部小さい穴（約３ｍｍくらい）を開けた例もあります。
この例として、特許文献１や実用新案文献１があり、穴の羅列した例（小さな穴）として特許文献２や実用新案文献２に開示されている物がある。
【特許文献１】  特許出願  平４−１６９０１３
【実用新案文献１】
実用新案出願  平５−８３５６
【特許文献２】  特許出願  平８−１７３２７９
【実用新案文献２】
実用新案出願  ２００３−９２５
【発明の開示】
【発明が解決しようとしている課題】
【０００３】  しかし、従来のような小さい突起の羅列では足が痛くて履き心地が悪く、また、本発明に似た物で穴の一部開いた靴、中敷や全体に穴が開いていても、小さい通気孔としての穴（２〜３ｍｍ）で、通気が十分とはいえず、本発明は穴を大きく全体に開けて並べる事で履き心地と通気性の向上させる事を課題とする。
【課題を解決するための手段】
【０００４】  この課題を解決する為の請求項１の発明は靴底（内側）、スリッパ、サンダル、中敷の上底に多くの穴（丸穴：５〜１０ｍｍ、８〜１５ｍｍ間隔）を全面に均一に開ける事により、保温性、通気性（湿り感の追放）の向上、新しい足つぼマッサージ効果の向上がもたされる。
【０００５】  また、請求項２の発明は穴の形が丸穴、四角い穴、花形の穴、ハート型等、色々な形が考えられ、また組み合わせる事も含まれ、その効果として、履きたくなる楽しみ感の向上、履き心地の向上がもたらされる。
【０００６】  また請求項３の発明は穴を開ける部分の材質を示し、スポンジ状の材質を使用する事でクッション性を増し、穴の中の空気の流出入を生み、又材料に吸収された水分の乾燥を促進し、スポンジ材の厚さ、硬さの変化（生産時）により、用途別に履き心地を変える事もできる。
【発明の効果】
【０００７】  本発明により、靴の内部の湿度が下がり、また足の保温性、適度な通気性、履く事の快適性、躍動感が向上する。
【発明を実施するための最良な形態】
【０００８】  図１は靴の底敷に多くの丸穴（７ｍｍ丸×１０ｍｍピッチ）をあけた事を特徴とする履き心地向上靴の中敷平面図。同図に示すように底一面に均一に穴を、明け並べる事により足裏全体で穴の効果が得られる。
【０００９】  図２は図１同じく靴の底敷に多くの丸穴を明けた事を特徴する履き心地向上靴の中敷の平面図であるが、丸穴の寸法が１０ｍｍ丸×１２ｍｍピッチと大きくなり、また並べ方を変えている。同図が示す他に並べ方は同心円上に中心をおいた波型、楕円等々、他にも色々考えられる。
【００１０】  図３は穴の形を変え数種類の組み合わせである事を特徴とする履き心地向上ソールの平面図である。本図が示す通り穴の形を変える事により、履きたくなる欲求の向上うながす。
【００１１】  図４は丸穴部分に足をつけた状態と離した状態の変化を示し、足の圧力により靴が変形し穴の空気を押し出しその空気は回りのスポンジ状クッションに屈き押された空気は、クッション、穴、クッションと連鎖して最終的には底材の外の渕に押し出され押し出され、その空気は足伝いに靴の開口部に達し（中敷、その後、外の空気と混ざる）。
足が少し持ち上がるとクッション材が元の型に戻り、穴の型が元の体積に戻り、空気の逆流を促し、その繰り返しより水分の乾燥、靴の内部の温度の改善がもたらされる。また多くの穴と足との接触により従来のイボ型つぼ刺激方式の靴よりもソフトなマッサージ効果が有り、痛くないので、快適な靴（スリッパ、サンダル、中敷を含む）になる。またその相乗効果として、履きたくなる、歩くまたは走りたくなる、暖かくなる等、利点は多く考えられる。
【００１２】  これら靴の底敷（中敷を含む）の材料はウレタンスポンジ、ウレタンゴム等、通常のものでよい。
また多数の穴の形は、丸穴、三角穴、多角形穴、花形、ハート型、その他多くのバリエーションが考えられれ、その組み合わせも可能であり、並べ方も色々なパターンが有る。
【産業上の利用可能性】
【００１３】  本発明に係る靴、サンダル、スリッパ、中敷は工業的に量産する事が可能ある為に、産業上の利用可能性を有する。
【図面の簡単な説明】
【００１４】
【図１】  中敷の多くの丸穴（７ｍｍ丸×１０ｍｍピッチ））をあけた、履き心地向上中敷の平面図である。
【図２】  中敷に多くの丸穴（１０ｍｍ丸×１２ｍｍピッチ）をあけた履き心地向上中敷のあるが並べ方を図１センター９０度交差の羅列に対してセンター６０度の交差の羅列である。
【図３】  中敷に３種の穴（８ｍｍ丸穴、１辺８ｍｍ三角形、長辺１２ｍｍ楕円）を組み合わせて並べた例であり並べ方はセンターＲ１００ｍｍの波型である。
【図４】  穴の部分に足が当たり圧力をかけた時と、足が上がり足の圧力が無くなった状態の部分図である。
【符号の説明】
【００１５】    １    多くの丸穴を開けた履き心地向上中敷
２    ７ｍｍ丸穴
３    １０ｍｍ丸穴
４    三種類の穴を開けた履き心地向上中敷
５    ８ｍｍ丸穴
６    辺８ｍｍ三角形
７    長辺１２ミリ楕円形
８    足
９    中敷
１０  足の動く方向を示す矢印
１１  空気の動く方向を示す矢印
【図１】
2008302186.tif 000003
【図２】
2008302186.tif 000004
【図３】
2008302186.tif 000005
【図４】
2008302186.tif 000006
(57)【要約】【課題】  本発明は、果実から果汁ジュースを作るための器具である。通常は、種がジュースに混ざる、何度もジュースを別の容器に移なければならない、などの課題があるが、本発明は、種などの混入を防ぎ直接目的の容器にジュースを入れることができる器具を、提供する。【手段】  通常のコップやきゅうす型うつわなどの容器の上に、網状または多孔容器状のこし器を置く。その中に入れた果実をすりつぶし器ですりつぶす。  本発明は、以上の構成よりなる果汁ジュースを製造する器具である。【選択図】図３
2008302183.tif 000002
【特許請求の範囲】
【請求項１】
通常のコップやきゅうす型器などの上に設置できる、網状または多孔容器状のこし器と、果実をすりつぶす、すりつぶし器からなるジュース製造器具。
【請求項２】
すりつぶし器が、すりつぶす部分と手で握る部分からなる請求項１のジュース製造器具。
【請求項３】
こし器が、網状または多孔容器状のこす部分の上部に、へりを有する請求項１のジュース製造器具。
【請求項４】
こし器が、側面に棒状または板状の持ち手を有する、請求項１または請求項３のジュース製造器具。
【請求項５】
こし器が、持ち手とは別の場所に、棒状または板状の支持腕を有する、請求項１または請求項３または請求項４のジュース製造器具。
【発明の詳細な説明】
【技術分野】
【０００１】  本発明は、みかんやぶどうなどの果物から果汁ジュースを製造する器具に関するものである。
【背景技術】
【０００２】  従来、半割りにしたレモンやオレンジを、押し搾り器に押し付けて果汁を絞ったり、ぶつ切りにした果物をミキサーで粉砕し、ジュースを製造することがなされている。
【特許文献１】特許公開２００３−１００４０
【発明の開示】
【発明が解決しようとする課題】
【０００３】    レモン押し搾り器で果汁を作る際、１．種が果汁に混ざる、２．果汁をためるスペースが小さいので、何度も別の容器に移す必要がある、３．搾るとき手が汚れる、４．果実を半割りにする際包丁・まな板を必要とする。という課題がある。
また、ミキサーでジュースを製造する際、５．できた果汁をミキサーからコップに移す必要がある。６．作業終了後、器具の洗浄に手間を要する。という課題がある。
【課題を解決するための手段】
【０００４】  通常のコップやきゅうす型うつわなどの容器の上に、網状または多孔容器状のこし器を置く。その中に入れた果実をすりつぶし器ですりつぶす。
本発明は、以上の構成よりなる果汁ジュースを製造する器具である。
【発明の効果】
【０００５】  本発明の器具を使用することにより、１．種が果汁に混ざることなく、２．直接容器に貯めることができる。３．搾りかすは、こし器を取り外して簡単に排出でき、搾るときもすりつぶし器を握るので手が汚れない。４．また、みかんや葡萄などは薄皮のままでも搾ることができるので、包丁、まな板も必要ない。５．コップやきゅうす型うつわの上で使用すれば、移し換える必要もない。６．作業後は構造の簡単なすりつぶし器、こし器を洗うのみで済む。
【発明を実施するための最良の形態】
【０００６】  以下、本発明の実施の形態を説明する。
（イ）すりつぶし器（１）には、やや円錐状の果実をすりつぶす部分（２）と、手で握る部分（３）を設ける。
（ロ）こし器（４）は、網や多孔容器からなる果汁をこす部分（５）と、持ち手（６）、支持腕（７）、果汁、果肉が漏れるのを防ぎ、かつ搾るときの持ち手に使う、へり（８）を設ける。
本発明は以上の構成よりなる。
本発明を使用する場合は、こし器（４）をコップやきゅうす型うつわなどの容器（９）の上に設置し、中に果実を入れ、すりつぶし器（１）を押し付けたり、ひねったりすることにより、果実をすりつぶす。こし器（４）の上に溜まった搾りかすは、持ち手（６）を持って、こし器（４）を容器から取り外して捨てる。
【図面の簡単な説明】
【０００７】
【図１】本発明のすりつぶし器の斜視図
【図２】本発明のこし器の斜視図
【図３】本発明の使用状態断面図
【図４】本発明の使用状態断面図
【図５】本発明の使用状態断面図
【符号の説明】
【０００８】  （１）すりつぶし器、（２）すりつぶす部分、（３）手で握る部分、（４）こし器、（５）果汁をこす部分、（６）持ち手、（７）支持腕、（８）へり、（９）容器、（１０）コップ
【図１】
2008302183.tif 000003
【図２】
2008302183.tif 000004
【図３】
2008302183.tif 000005
【図４】
2008302183.tif 000006
【図５】
2008302183.tif 000007
(57)【要約】【課題】  添加物（界面活性剤等）を配合する事なく、動物（生体）への影響のない消臭剤組成物の提供。【解決手段】  植物抽出物により添加物（界面活性剤等）配合する事なく、動物（生体）の安全を考慮し、加えてもずく抽出物（フコイダン）成分を配合する事により、フコイダン配合植物性消臭用組成物として、消臭並びに被毛を健康な状態に保つ事ができる。【特許請求の範囲】
【請求項１】
天然植物（熊笹、ヨモギ、レモン、レンゲ、ワダツミ草、ヒノキ、ビワ、クヌギ等、草木１２０種）から抽出精製した組成物に、もずく抽出物（フコイダン）を含有し、界面活性剤等の添加物を一切使用しない事を特徴とするフコイダン配合植物性消臭用組成物。
【発明の詳細な説明】
【技術分野】
【０００１】  本発明は犬、猫等の動物（生体）の健康を考慮した消臭剤に関する。
【背景技術】
【０００２】  従来の消臭剤では動物（生体）が持つ臭気が、飼い主ならびに周囲への配慮を解決できるが。動物（生体）への健康を考慮を軽視した添加物（界面活性剤等）を配合した商品がある。
【発明の開示】
【発明が解決しようとする課題】
【０００３】  添加物を配合する事なく動物（生体）への皮膚障害等の疾患を軽減し、動物（生体）から発散される臭気を軽減消臭し、自然治癒力の向上、アトピー性皮膚炎等の軽減に効果を有する。
【課題を解決するための手段】
【０００４】  もずく抽出物（フコイダン）を配合することにより、消臭効果を高め疾患部分への悪影響なく、消臭効果を得られるとともに、動物（生体）の被毛、皮膚、アトピー性皮膚炎等の疾患に顕著な改善効果を有する。
【発明の効果】
【０００５】  動物（生体）の被毛、皮膚に散布または塗布する事により、植物抽出成分により、臭気を分解消臭し、もずく抽出物（フコイダン）成分が動物（生体）の被毛、皮膚に浸透し保湿効果を高めアトピー性皮膚炎に効果があり、安心して使用出来るフコイダン配合植物性消臭用組成物を提供できる。
【発明を実施するための最良の形態】
【０００６】本発明の実施の形態は、還元イオン水を用い、希釈配合し噴霧器付き樹脂性容器に充填、および詰め替え用として樹脂性容器に充填。
(57)【要約】【課題】具と汁を一緒に掬ったり、具のみや汁だけなど掬い分けたり、また灰汁取りもしたりできる調理用お玉杓子を提供する。【解決手段】具と汁のつぎ分けや灰汁取りをひとつのお玉杓子で可能にするため、柄部と掬い椀部からなる金属や合成樹脂のお玉杓子において、掬い椀上端周縁の一部が掬い椀内凹部上方の一部を覆うよう半球形のドーム状に延展して設けられた延展部を有し、そのドーム状延展部に円型孔やスリット状長孔または星型孔、花型孔などの多数の小孔や網目を設けていることを特徴としたお玉杓子を提供する。【選択図】図１
2008302188.tif 000002
【特許請求の範囲】
【請求項１】
柄部と掬い椀部からなる金属もしくは合成樹脂のお玉杓子において、掬い椀上端周縁の一部が掬い椀内凹部上方の一部を覆うよう半球形のドーム状に延展して設けられた延展部を有し、そのドーム状延展部に円型孔やスリット状長孔または星型孔、花型孔などの多数の小孔や網目を設けていることを特徴としたお玉杓子。
【発明の詳細な説明】
【技術分野】
【０００１】  本発明は、調理用具のお玉杓子に関するものである。
【背景技術】
【０００２】  従来は、一般的なお玉杓子（無孔）と穴あきお玉杓子（有孔）、灰汁取り網など複数の用具を、掬う対象によって使い分けをしていた。そして無孔、有孔の両方の機能を有する兼用具の既出考案事例では、掬い椀凹部の一部に穴をあけているなどしているため、一回の掬い取り動作で従来のお玉杓子と同程度量の汁を掬うことができなかったり、椀部を傾けて汁切りをするときその構造から具材も零れ落ちるおそれがあって汁切りが不十分であったりなど、旧来のお玉杓子と同等の機能を充分に発揮できるものはなかった。またお玉杓子に灰汁取り網の機能を有する兼用調理用具もなかった。
【発明の開示】
【発明が解決しようとする課題】
【０００３】  そのために、次のような問題点があった。
（イ）固形物の具材のみつぐ場合や液状の汁のみをつぐ場合、灰汁を取る場合などつぐものによって有孔、無孔、網など複数の調理用具を使い分けるため、用意するお玉杓子の種類やお玉杓子の持ち替えなど面倒で効率が悪かった。
（ロ）（イ）を解決しょうとした既出考案事例では、お玉杓子で掬える汁の量が本来の量より少なくなったり、具材の汁切りが不十分であったりなど従来の機能が低下していた。
（ハ）灰汁取り網の機能も有する兼用のお玉杓子はなかった。
【課題を解決するための手段】
【０００４】  具と汁のつぎ分けや灰汁取りをひとつのお玉杓子で可能にするため、掬い椀上端周縁の一部が掬い椀内凹部上方の一部を覆うよう半球形のドーム状に延展して設けられた延展部を有し、そのドーム状延展部に円型孔やスリット状長孔または星型孔、花型孔などの多数の小孔や網目を設けていることを特徴としたお玉杓子を提供する。
【発明の効果】
【０００５】  具や汁などをつぎ分けるために複数のお玉杓子や灰汁取りに網を使っていた作業が、本考案の小孔や網目を有する延展部を設けられたお玉杓子ひとつで対応でき複数の調理用具が不要となるほか、用具の持ち替えもなく作業効率が向上する。また多機能調理用具となっても、本来のお玉杓子と穴あきお玉杓子の基本的な機能を低下することなく使い勝手も従来同様に簡単、便利である。
【発明を実施するための最良の形態】
【０００６】  以下、本発明の実施の形態について説明する。
柄部（６）と掬い椀部（１）からなる金属や合成樹脂のお玉杓子において、掬い椀上端周縁の一部が掬い椀内凹部上方の一部を覆うよう半球形のドーム状に延展して設けられた延展部（２）を有し、そのドーム状延展部に円型孔（３）やスリット状長孔（４）または星型孔、花型孔などの多数の小孔や網目（５）を設けていることを特徴としたお玉杓子。【０００７】  具と汁を一緒に掬い（図４）上げた状態（図５）から、杓子を傾けて延展部を低くする（図６）と小孔（３）（４）や網目（５）から汁だけ排出（１０）し具が残る。同様に小孔や網目の目が小さいと灰汁取りとなる。また小孔や網目から汁だけ流入（図７の１０）させ具を排除できる。
【図面の簡単な説明】
【０００８】
【図１】本発明実施例の斜視図（延展部に円形孔を設けた実施例）
【図２】本発明実施例の斜視図（延展部に網目を設けた実施例）
【図３】本発明実施例の斜視図（延展部にスリット状孔を設けた実施例）
【図４】［図１］Ａ−Ａ′断面図（傾けて具と汁を一緒に掬う状態の例）
【図５】［図１］Ａ−Ａ′断面図（具と汁を掬いあげた状態の例）
【図６】［図１］Ａ−Ａ′断面図（傾けて延展部小孔から汁のみ排出の例）
【図７】［図１］Ａ−Ａ′断面図（傾けて汁のみ小孔から流入させる例）
【符号の説明】
【０００９】  １  掬い椀部
２  掬い椀周縁延展部
３  小孔（円形孔）
４  小孔（スリット状孔）
５  網目
６  柄
７  柄の握り部
８  掬い椀内の汁
９  鍋など掬い椀外の汁
１０  小孔（円形孔）から流出する汁
１１  小孔（円形孔）から流入する汁
【図１】
2008302188.tif 000003
【図２】
2008302188.tif 000004
【図３】
2008302188.tif 000005
【図４】
2008302188.tif 000006
【図５】
2008302188.tif 000007
【図６】
2008302188.tif 000008
【図７】
2008302188.tif 000009
(57)【要約】【課題】  開口部や隙間のあるカバーはそこから虫が侵入し、洋服は虫に喰われてしまい被害を受けるという問題点がある。【解決手段】  本発明は、洋服の防虫カバーの最上部で、ハンガーのハンガーフックとファスナーのスライダー先端部を直接接するようにし、ファスナーの開口部をほとんど隙間なく閉じることのできる洋服の防虫カバーを提供することにより、上記課題を解決したものである。【選択図】図１
2008302185.tif 000002
【特許請求の範囲】
【請求項１】
洋服の防虫カバーの最上部で、ハンガーのハンガーフックとファスナーのスライダー先端部を直接接するようにし、ファスナーの開口部をほとんど隙間なく閉じることのできる洋服の防虫カバー。
【発明の詳細な説明】
【技術分野】
【０００１】本発明は、洋服を虫喰いの害から守るための防虫カバーに関するものである。
【背景技術】
【０００２】主にクリーニング業界と防虫剤メーカーより市販されているポリエチレン製フィルムで作られた防虫カバー（以下「カバー」という）で防虫を謳ったカバーがある。
これらのカバーは開口部が開いたままか隙間なく閉じられる構造になっていない。
【発明の開示】
【発明が解決しようとする課題】
【０００３】開口部や隙間のあるカバーはそこから虫が侵入し、洋服は虫に喰われてしまい被害を受けるという問題点がある。
【課題を解決するための手段】
【０００４】本発明は、洋服の防虫カバーの最上部で、ハンガーのハンガーフックとファスナーのスライダー先端部を直接接するようにし、ファスナーの開口部をほとんど隙間なく閉じることのできる洋服の防虫カバーを提供することにより、上記課題を解決したものである。
【発明の効果】
【０００５】本発明のカバーは従来のカバーに比べほとんど隙間がないため閉じている間は虫は開口部や隙間から出入りすることは難しい。このカバーは虫の侵入に備えガードを堅くした点において優れ、洋服はこれまで以上に虫喰いの害から保護される。
【発明を実施するための最良の形態】
【０００６】図１の方法でハンガーのハンガーフック（以下、「フック」という）とファスナーのスライダー先端部は直接接する。こうすることによりカバーはほとんど隙間なく閉じることができる。更により固定した状態を保つために、図１、図２に示すような糸針金入りのモール（以下「モール」という）をスライダーの象鼻に取付けフックに結わえる方法と、もう一つは図４、図５に示すような磁気をおびた金属製のパーツをスライダーの象鼻に取付けフックに吸着する二つの方法がある。【０００７】図１、図２に示すごとくモールを取付ける方法は、モールをスライダーの象鼻に通し、半分の長さに曲げスライダー先端部でクロスし１回捻ると長さ半分の２本のモールとなる。モールのついたスライダーをカバー最上部にあるフックに接するところまで引き上げ２本のモールを左右からフックに回し、手前でクロスした２本のモールを１回捻る。こうすることによりスライダー先端部とフックは隙間なく縛られ緩むことはない。【０００８】次に図４、図５に示すごとく、金属製のパーツを取付ける方法は、磁気をおびたパーツをスライダーの象鼻に取付ける。こうすることにより、スライダーがフックに接した時、双方は吸着し離れにくくなり、ファスナーの小さな隙間を塞ぐことができる。【０００９】洋服をカバーから出す時は、モールを逆に捻るとほどける。又、金属製パーツは引手をやや力を入れて引くと吸着していたフックとパーツは離れる。カバーの使い方は従来のファスナー付防虫カバーと同じ作業でごく自然に従来どおりの作業でできる。【００１０】図６に示されるように図はカバー前身を開いた図で、洋服をカバーに仕舞う時はハンガーに掛けた洋服の両肩をカバー内部の両肩にあて洋服をカバー内に入れ、フックに接する所まで、スライダーを引き上げ、モールはフックに結わえパーツは吸着することにより、フックの周りはほとんど隙間なく閉まり作業は終了する。【００１１】カバーの素材は不織布、軟質のポリプロピレン、ナイロン、紙等を用い、虫のつきにくい素材を使用する。【００１２】図７に示すごとくカバー内上部に防虫剤、防カビ剤、乾燥剤を入れる内ポケットと、外部から洋服の色、柄が見えるように透明なフィルムの窓及び外ポケットをつける。
【図面の簡単な説明】
【００１３】
【図１】モール付ハンガーフックまわりの斜視図
【図２】モール付スライダーの斜視図
【図３】パーツ付ハンガーフックまわりの斜視図
【図４】パーツの平面図
【図５】パーツ付スライダーの斜視図
【図６】防虫カバー開き図
【図７】防虫カバー正面図
【符号の説明】
【００１４】  １．ハンガーフック
２．防虫カバー
３．縁とりテープ
４．ファスナー
５．スライダー
６．象鼻
７．引手
８．モール
９．パーツ
１０．内ポケット
１１．外ポケット
１２．窓
【図１】
2008302185.tif 000003
【図２】
2008302185.tif 000004
【図３】
2008302185.tif 000005
【図４】
2008302185.tif 000006
【図５】
2008302185.tif 000007
【図６】
2008302185.tif 000008
【図７】
2008302185.tif 000009
(57)【要約】【課題】打球時に折損し難く、かつ折損した際に折損片がバット主体から分離し難くなる野球用木製バットを得る。【解決手段】木製により形成されたバット主体（２）を設け、前記バット主体（２）の軸心部に小径の嵌合孔（２ａ）を、該バット主体（２）の長手方向略全長に亘たって形成し、該嵌合孔（２ａ）の略全域に張力に富んだ芯材（３）を嵌合させて一体的に固着する。前記芯材（３）は金属材、あるいは繊維強化プラスチック材により形成する。【選択図】  図１
2008302103.tif 000002
【特許請求の範囲】
【請求項１】
木製により形成されたバット主体（２）を設け、前記バット主体（２）の軸心部に小径の嵌合孔（２ａ）を、該バット主体（２）の長手方向略全長に亘たって形成し、該嵌合孔（２ａ）の略全域に張力に富んだ芯材（３）を嵌合させて一体的に固着したことを特徴とする野球用木製バット。
【請求項２】
芯材（３）は金属材により形成されてなることを特徴とする請求項１記載の野球用木製バット。
【請求項３】
芯材（３）は繊維強化プラスチック材により形成されてなることを特徴とする請求項１記載の野球用木製バット。
【発明の詳細な説明】
【技術分野】
【０００１】
本発明は、野球用木製バットに関し、特に、球を打ってバットが折損した際に該バットの破片が周囲に飛散するのを防止する野球用木製バットに関するものである。
【背景技術】
【０００２】
金属製バットは、打球が速過ぎて選手の危険性が高くなったり、球の飛打距離が延びてホームランの頻度が増え、観客の危険性が高くなったりするため、近年ではこれを抑制するために木製バットが見直されている。ところで、従来の木製バットとして、アオダモ材、トネリコ材等の木材によりバット主体を形成し、該バット主体の打球部をブラスト処理して該打球部の表面に多数の凹部を形成し、該凹部に合成樹脂等を充填するようにしたものがあった。このものは、打球部の表面が硬化して耐久性を有することになるが、打球時に折損すると、折損片がバット主体から分離して周囲に飛散し易く、該折損片が他の選手に当たることがあった。
【特許文献１】特開２００１−１５７７２５号公報
【発明の開示】
【発明が解決しようとする課題】
【０００３】
本発明は、打球時に折損し難く、かつ折損した際に折損片がバット主体から分離し難くなる野球用木製バットを得ることを目的とする。
【課題を解決するための手段】
【０００４】
本発明は、前記目的を達成するために以下の如く構成したものである。即ち、請求項１に係る発明は、木製により形成されたバット主体を設け、前記バット主体の軸心部に小径の嵌合孔を、該バット主体の長手方向略全長に亘たって形成し、該嵌合孔の略全域に張力に富んだ芯材を嵌合させて一体的に固着したものである。
請求項２に係る発明は、前記芯材を金属材により形成したものである。また、請求項３に係る発明は、前記芯材を繊維強化プラスチック材により形成したものである。
【発明の効果】
【０００５】
請求項１に係る発明は、張力に富んだ芯材がバット主体を補強することになり、バット主体が打球時の衝撃によって折損し難くなる。また、バット主体が折損した際には、その折損片が前記芯材によって保持されてバット主体から分離しなくなる。このため、安全性が高くなる。
請求項２に係る発明は、前記芯材を金属材により形成したので、安価にしてバット主体を補強することができる。
請求項３に係る発明は、前記芯材を繊維強化プラスチック材により形成したので、軽量にしてバット主体を補強することができる。
【発明を実施するための最良の形態】
【０００６】
以下本発明の実施例を図面に基いて説明する。図面において、図１は本発明の第１実施例を示す縦断面図、図２は図１のII-II線による拡大断面図、図３は本発明の第２実施例を示す要部を拡大した縦断面図である。
【０００７】
図１〜図２において、１は木製バットであり、バット主体２、及び該バット主体２の軸心部に設けた芯材３からなる。前記バット主体２は、アオダモ材、トネリコ材等の単体木、あるいは張り合わせ木を切削して外形をバット形状とする。
【０００８】
前記バット主体２の軸心部に、嵌合孔２ａを全長に亘たって貫通形成し、該嵌合孔２ａに細長い芯材３を嵌合させて一体的に固着する。該芯材３は張力に富んだ鋼線、あるいはカーボンファイバー、グラスファイバー等の繊維強化プラスチックとし、これを前記嵌合孔２ａに圧入、または接着剤を介して嵌合させる。前記芯材３は直径５ｍｍ〜８ｍｍとするのが好ましい。
【０００９】
なお、前記芯材３のバット主体への嵌合は、バット主体２を周方向に複数に分割し、この分割片に嵌合溝を形成し、該嵌合溝に芯材３を嵌合させた後、前記各分割片を張り合わせるようにしてもよい。
【００１０】
前記実施例によれば、芯材３がバット主体２を補強することになるため、バット主体２が打球時の衝撃によって折損し難くなるとともに、何らかの原因で打球時にバット主体２が折損した際には、その折損片が前記芯材３によって保持され、バット主体２から分離しなくなり、他の選手に危害を及ぼすことがなくなる。
【００１１】
図３は第２実施例を示す。このものは、バット主体２の嵌合孔２ａの先端部２ｂを大径に形成し、芯材３の先端部を前記先端部２ｂに露出させ、該露出部にナットを螺合、あるいは大径のフランジを固着して芯材３の先端部に大径部３ａを形成する。そして、前記嵌合孔２ａの先端部２ｂに栓４を埋め込んで前記大径部３ａを包囲する。
【００１２】
前記第２実施例によれば、芯材３がバット主体２の頭部から露出しなくなり、外観がよくなるとともに、芯材３の大径部３ａがバット主体２の破損片を保持する機能が高くなり、より安全性が高くなる。
【図面の簡単な説明】
【００１３】
【図１】本発明の第１実施例を示す縦断面図である。
【図２】図１のII-II線による拡大断面図である。
【図３】本発明の第２実施例を示す要部を拡大した縦断面図である。
【符号の説明】
【００１４】
１    野球用木製バット
２    バット主体
２ａ  嵌合孔
３    芯材
３ａ  大径部
４    栓
【図１】
2008302103.tif 000003
【図２】
2008302103.tif 000004
【図３】
2008302103.tif 000005
(57)【要約】【課題】動物の形をした胴体部分に頭部、前足、後足を取り付ける穴を設け、足に当る部材を挿入し、頭部はつなぎ部材を使って頭と胴体をつなぎ組立てる玩具を提供する。【解決手段】大部材の側面に一つの穴と底面に二つの穴を設けて一対として、同様に他方にも一対の穴を設けて、さらに小部材に一つの穴を設けて、それぞれの穴に円柱状の部材をはめ込み、思考や創作力の養成が出来ることを特徴とした知育玩具。【選択図】図１
2008302191.tif 000002
【特許請求の範囲】
【請求項１】
大部材の側面に一つの穴と底面に二つの穴を設けて一対として、同様に他方にも一対の穴を設けて、さらに小部材に一つの穴を設けて、それぞれの穴に円柱状の部材をはめ込み、思考や創作力の養成が出来ることを特徴とした知育玩具。
【発明の詳細な説明】
【技術分野】
【０００１】本発明は動物の形をした胴体部分に頭部と前足と後足を取り付る穴を設け、前足後足の部材を挿入し頭はつなぎ部材を使って取り付ける。それにより動物の形が出来上がる。
【背景技術】
【０００２】従来は、プラスチックで成形された物をつなぎはめ込んで組みあげる玩具が各種ある。
【発明の開示】
【発明が解決しようとする課題】
【０００３】しかしこれらには、共通して次の問題点があった。
（イ）一つの形をつくるのに沢山の部材が必要である。
（ロ）部材が沢山あるので幼児には組立が難かしい。
【課題を解決するための手段】
【０００４】大部材の側面に一つの穴と底面に二つの穴を設けて一対として同様に他方にも一対の穴を設けて、さらに小部材に一つの穴を設けて、それぞれの穴に円柱状の部材をはめ込み、思考や創作力の養成が出来ることを特徴とする知育玩具。
【発明の効果】
【０００５】組立て分解が間単で部材は少ないが、種類は多い。たとえばカバ、イヌ、ゾウ、キリン、サル、等がある又動物の模様や顔を好きなように描くことが出来それにより、完成された玩具からは得られない創作感が得られ思考力や感性が養育出来る。
【発明を実施する為の最良の形態】
【０００６】以下発明の実施の形態について説明する
（イ）長方形からなる大部材（３）の一側面上部に一つの穴（１３）を設け、底面の一方に二つの穴（８）（９）を設けて一対になるようにし、同様に他方にも二つの穴（１０）（１１）を設ける。
（ロ）一側が斜面を形成した長方形の小部材（１）に、一つの穴（１２）を設ける。
（ハ）上記に示した穴（８）（９）（１０）（１１）（１２）（１３）にはめ込む円柱状の部材（２）（４）（５）（６）（７）を複数設ける。
（ニ）上記に示した大部材（２）は、犬や象等の動物のイメージを構成し、小部材（１）は頭部のイメージを形成する。又部材（２）は大部材（３）と小部材（１）との連結部材となるものである。上記で延べなかった部材（４）（５）（６）（７）は、動物の足となるものである。本発明はこの様に大部材（３）小部材（１）円柱状の部材（２）（４）（５）（６）（７）の三種類からなるものであるから、組立てにおいて形状の異なる数が少ないので、どこにこれらを使用すれば良いのかすぐに分かるので幼児が使用する時簡単である。
（ホ）本発明は以上の構成からなるもので、以下その使用法について説明する。
長方形部材（３）の一側面上部の穴（１３）に円柱状部材（２）を挿入する。
斜面を形成した長方形小部材（１）を差し込む。
そして底面の穴（８）（９）（１０）（１１）に円柱形部材（４）（５）（６）（７）を挿入し組立完了とする。
（ヘ）捨てられる木材の切れ端を利用して製作しても良く、プラスチックでも成型出来る。
【図面の簡単な説明】
【０００７】
【図１】本発明の斜視図
【図２】本発明の分解図
【符号の説明】
【０００８】１頭部  ２つぎ部材  ３本体  ４前足  ５前足  ６後足  ７後足  ８前足の入る穴  ９前足の入る穴  １０後足の入る穴  １１後足の入る穴  １２頭と本体をつなぐ部材の入る穴  １３頭と本体をつなぐ部材の入る穴
【図１】
2008302191.tif 000003
【図２】
2008302191.tif 000004
(57)【要約】【課題】  ストライクゾーンのいろいろなコースのボールの打つ練習を効率良くできることと、打球の軌道が見えることにより、バッティングの良し悪しを判断できるバッティング練習具を提供する。【解決手段】  ボール１と、棒２と、持ちやすくするためのグリップ３で、バッティング練習具を構成する。この構成によれば、手で棒２を動かすことによって、ボール１をストライクゾーンのいろいろなコースに誘導でき、いろいろなコースのバッティング練習が即座に出来る。それと、ボールを打った後の打球の軌道が一目で分かり、バッティングの良し悪しがその都度判断できる。【選択図】図１
2008302170.tif 000002
【特許請求の範囲】
【請求項１】
球技に使用するボールまたは、そのボール相当品のものと、そのボールを動かせるように手で持つための棒を有することを特徴とするバッティング練習具。
【発明の詳細な説明】
【技術分野】
【０００１】  本発明は、野球及びボールを打つ球技において、効率良くバッティング技術を向上させるための練習具に関するものである。
【背景技術】
【０００２】  一般的なバッティング練習具には、ティーバッティング・バッティングマシーン等が知られている。
ティーバッティングは、練習具のボール設置箇所にボールを乗せ、乗せたボールを打つ練習具である。
バッティングマシーンは、ある距離からバッターに向けボールを送球する機械である。
【発明の開示】
【発明が解決しようとする課題】
【０００３】  しかしながら、ティーバッティング練習具は、ストライクゾーンのいろいろなコースを打つ練習がしづらかったり、個人での練習時、打ったボールを止める大きいネットが必要である。【０００４】  また、バッティングマシーンに関しては、同じくストライクゾーンのいろいろなコースを打つ練習がしづらかったり、必要に応じ打ったボールを止める大きいネットが必要であったり、広い場所を必要としたり、装置が高価だったり、セッティングに時間が掛かったりと、効率の良い練習が出来なかった。
【課題を解決するための手段】
【０００５】  そこで、本発明は、その球技に使用するボールまたは、そのボール相当品のものと、そのボールを自由に動かせるように手で持つための棒を有するものである。
【発明の効果】
【０００６】  本発明のバッティング練習具は、手でボールを誘導することにより、ストライクゾーンのいろいろなコースに簡単にボールを誘導することが出来、いろいろなコースのバッティング練習が即座に出来る。また、打ったボールは、手で持つ棒の先端に固定されているため、ネットが無くてもボールは飛んでいかず、限られた範囲での練習が可能である。それと、ボールを打った後の打球の軌道が一目で分かり、バッティングの良し悪しがその都度判断できる。また、複雑な装置が必要なく、安価に製作することが可能である。なお、持ち運びも自由に出来、セッティングにも時間は要さず効率の良いバッティング練習が可能である。
【発明を実施するための最良の形態】
【０００７】  以下、本発明の最良の実施形態を図面に基づき説明する。
【実施例】
【０００８】  図１の１は、球技に使用するボールまたはそれ相当品である。２は、そのボールを自由に動かせるように手で持つための棒である。２の材料は、ポリエチレン材または弾力のある衝撃に強い材料のものを使用すれば、ボールを打った後の打球の軌道が分かり、バッティングの良し悪しが判断出切る為、適している。３は、手で持つため滑り止めも兼ねた持ちやすくするためのグリップで、無くても機能的には変わらない。【０００９】  ２の棒は、空洞のパイプ状のものにし、軽量化を図っても構わない。【００１０】  １のボールおよび２の棒は、一体式の樹脂成型品であっても構わない。【００１１】  ２の棒の長さは、約１ｍから１．５ｍの長さのものを使用すると、打球の軌道がわかりやすいので理想的である。
【図面の簡単な説明】
【００１２】
【図１】  本発明のバッティング練習具を示す概略図である。
【符号の説明】
【００１３】  １・・・ボール、２・・・棒、３・・・グリップ
【図１】
2008302170.tif 000003
(57)【要約】【課題】商品（生麺）の賞味期限を長期化する為の製造方法【解決手段】製造現場の衛生面の強化、その為の設備の配置、運用方法【選択図】なし【特許請求の範囲】
【請求項１】
製麺工場（当社石下工場）に於ける衛生管理として、製造作業場、倉庫スペース及び出荷管理室に殺菌灯（紫外線使用）を配置、夜間の点灯により室内の雑菌の大半を殺菌しています。
【請求項２】
空調吹出口にも殺菌灯を配置し、これは空調稼動時にはその風に照射することで無菌状態の空気を送るようにしています。
【請求項３】
作業中の工員には着帽、白衣及び衛生マスクの着用を義務付け、頭髪や人間体内からの菌による汚染も防止しております。
【請求項４】
作業・清掃終了後には設備中の生麺が触れる場所全てをアルコール噴霧し、落下菌ばかりでなく作業器具の衛生処理も徹底しています。又、作業中の工員も製造物に触れる時には絶えず衛生手袋を着用の上アルコールを噴霧し、無菌状態で作業を行っています。
【請求項５】
製造作業を終了し発送便の集荷時までは、作業場及び出荷管理室の開閉を禁止しています。これは外気を遮断し、工場内の衛生度を保つ為です。この間は換気扇も停止しています。
【請求項６】
生麺中には６％の食用アルコールを添加、包装フィルム内を気化したアルコールで充満させることで常温放置のまま２週間の保存を可能としました。検品時にはフィルムの空気漏れがないかチェックした上で梱包しています。このアルコール添加量は、調理時に茹でることで抜ける量ですので、食べる段階ではアルコールはゼロとなります。
【発明の詳細な説明】
【技術分野】
【０００１】  食品製造（特に生麺）に於ける衛生面の特化及び消費期限の拡大の為の製造前後のクレンリネス及び製造過程での留意点・必要設備を提案するものである。
【発明の開示】
【解決しようとする課題】
【０００２】  製造・販売する商品が生麺である為、商品の性質上、冷蔵庫などでの保管が困難であることから、常温での保存を可能にする事を課題としました。
【課題を解決する為の手段】
【０００３】  ▲１▼工場内の衛生空間保持の為の殺菌灯の設置
▲２▼商品の雑菌繁殖を抑制する商品の品質を損わない無害添加物
▲３▼商品への雑菌の付着を防ぐ作業員、作業器具の衛生管理
▲４▼製造作業終了後までの作業場、出荷管理室の開閉禁止
【発明の効果】
【０００４】  ▲１▼常温状態での保存日数が２週間を超え、在庫の余裕が確保出来るようになりました。
▲２▼原則受注生産ですが、多少の作り置きが出来るようになった為、生産数量がアバウトでも良い分、作業効率が向上しました。
▲３▼繁忙期でも前日からの準備下出来る様になりました。
【産業上に利用可能性】
【０００５】  特に製麺工場で実施中のものではありますが、他の如何なる食品の製造業に関しても実施可能で衛生上良好な環境を構築出来ると思われます。
【図面の簡単な説明】
【０００６】  現在発明の方法を実施している現場の建物及び必要設備
【図１】実施中の建物内部作業場の平面図である。
【図２】実施に必要な設備、殺菌灯の平面図・側面図・立面図である。
【図３】実施に必要な設備、製麺ミキサー・ラインの平面図である。
【図４】実施に必要な設備、製麺ミキサー・ラインの立面図である。
【図５】実施に必要な設備、サイロの立面図である。
【図１】
2008302162.tif 000002
【図２】
2008302162.tif 000003
【図３】
2008302162.tif 000004
【図４】
2008302162.tif 000005
【図５】
2008302162.tif 000006
(57)【要約】【課題】  油分を含む食品を皿に載せて食品ラップをかけ、電子レンジで加熱する時、食品ラップが油分を含む食品に直に接触することで、食品ラップが溶けるのを防ぐための電子レンジの加熱補助器具である。又、コンパクトに収納できる。【解決手段】  薄い帯状の耐熱シートの一方の端に縦に複数の切れ目を入れ、もう一方の端には引っ掛けの突起となる切れ目を入れて、一方の端の縦の切れ目に、もう一方の突起となる切れ目を起こして差し込み、安定させて輪を作る。複数の縦の切れ目に突起を差し替えることによって複数の大きさの輪を作ることができ、食品を載せた異なった大きさの皿に対応させ、その皿の上に置いて、その上から食品ラップかけることで油分を含む食品と食品ラップの間に隙間をつくり、直に接触しないようにする。  又、最小の輪を作ることで、嵩張らない収納ができる。【選択図】図２
2008302166.tif 000002
【特許請求の範囲】
【請求項１】
薄い耐熱シ−トを帯状にして、ー方の端に縦の切れ目を複数設け、もうー方の端に突起となる切れ目を設けて、その縦の切れ目に、突起となる部分を差しみ引っ掛けて安定させ、シ−トを輪の状態にすることを特徴とする電子レンジの加熱補助器具である。
【発明の詳細な説明】
【技術分野】
【０００１】    本発明は、電子レンジで加熱する時、油分を含む食品を載せた皿の上に置き、その上からかけた食品ラップと食品との間に隙間をつくり、油分を含む食品と食品ラップが直に接触する事でその部分の食品ラップが溶けることを防ぐものである。又、輪を最小にする事で収納しやすくする電子レンジの加熱補助器具である。
【背景技術】
【０００２】    従来、皿に載せた油分を含む食品を電子レンジで加熱するとき、その食品と直に接触しないために皿に被せる蓋はあるが、異なった皿の大きさに合わせた蓋を複数必要とし、収納が嵩張る。
【発明の開示】
【発明が解決しようとする課題】
【０００３】    そのために、次のような問題点があった。
（イ）食品を載せた皿の大きさにより、大小異なる蓋を必用とし、収納に嵩張る。
（ロ）皿の上の油分を含む食品に直に食品ラップをかけて電子レンジで加熱する時、その食品と接触している部分の食品ラップが溶けることがある。
【課題を解決するための手段】
【０００４】    薄い帯状の耐熱のシ−トのー方の端に、差し込みの出来る縦の切れ目をいれ、反対側の端に引っ掛けの突起となる切れ目を設ける。そして、一方の縦の切れ目に、もうー方の突起となる切れ目を指で起こして差し込み安定させて輪を作り、油分を含む食品を載せた皿の上に置いて、その上から食品ラップをかけると食品との間に隙間ができて、電子レンジで加熱する時、その食品と接触した食品ラップが溶けることを避けられる。同様に複数の縦の切れ目に、起こした突起を掛け変える事によって、異なった皿の大きさに対応した複数の大きさの輪を作り使用する。又、輪を最小にすることで、コンパクトに収納できる。
【発明の効果】
【０００５】    複数の大きさの輪を作って、油分を含む食品を載せた皿の上に適合した輪を置き、その上から食品ラップを掛けると、皿の上の食品と食品ラップとの間に隙間が出来て直に接触しないため、電子レンジで加熱した時に、食品ラップが油分を含む食品との接触部分で溶けることが避けられる。又、最小の輪を作ることで収納が容易となる。
【発明を実施するための最良の形態】
【０００６】    以下、本発明の実施の形態について説明する。
（イ）薄い帯状の耐熱シート（１）の一方の端に、差し込まれる縦の切れ目（２）を複数入れ、もう一方の端に引っ掛けの突起となる切れ目（３）を設ける。
（ロ）一方の側にある切れ目（２）に、もう一方の側にある突起となる切れ目（３）を起こして差し込み、差し込まれる縦の切れ目（２）の複数に差し変えることによって、異なる大きさの輪（４）をつくる。
本発明は以上のような構成で、これを使用するときは、電子レンジで油分のある食品を加熱する時に、食品を載せた皿の上に適合する大きさをもった輪（４）を載せ、その上から食品ラップをかけて使用する。
【図面の簡単な説明】
【０００７】
【図１】    本発明の平面図
【図２】    本発明の斜視図
【図３】    本発明の実施例を示す斜視図
【符号の説明】
【０００８】    １  帯状の耐熱シート
２  縦の切れ目
３  突起となる切れ目
４  輪
【図１】
2008302166.tif 000003
【図２】
2008302166.tif 000004
【図３】
2008302166.tif 000005
(57)【要約】【課題】  手指の清拭に際し、皮膚に対する安全性を確保し、かつ充分な抗菌・防カビ効果を持った紙おしぼり・お手ふきを製造する。【解決手段】  本発明は、配合成分およびその配合量を化粧品基準に準ずることにより皮膚に対する安全性を確保し、複数成分の配合による相乗効果により充分な抗菌・防カビ効果を付与する。【特許請求の範囲】
【請求項１】
２−メチル−４−イソチアゾリン−３−オンとブチルカルバミン酸ヨウ化プロピニルを配合してなる紙おしぼり・お手ふきの保存方法。
【発明の詳細な説明】
【技術分野】
【０００１】  本発明は、パルプまたは不織布等の紙おしぼり・お手ふきの保存方法に関する。詳しくは２−メチル−４−イソチアゾリン−３−オンとブチルカルバミン酸ヨウ化プロピニルの配合加工液で処理する紙おしぼり・お手ふきの保存方法である。
【背景技術】
【０００２】  紙おしぼり・お手ふきは水を含むという性質上、微生物（細菌類・真菌類）の繁殖の危険性がある。このため加工液には防腐剤が配合されている。しかしその配合成分や配合量においては使用用途を考慮すると、安全性の高い物質でなければならない。【０００３】  またウェットティシューとは異なり、簡易、個包装であるにもかかわらず３〜６ヶ月の保存期間が考えられ、その保管には夏季は冷たく、冬季は暖かくするなどの条件により、より強力な防腐効果が求められている。【０００４】  使用時においては、その使用感が問題であり、ぬめり感や臭気等があってはならない。
また紙おしぼり・お手ふきの加工に関しては、ほとんどがスプレー方式によるもので、均一に処理することがむずかしいため、加工液の浸透性及び分散性が重要になる。
【発明の開示】
【発明が解決しようとする課題】
【０００５】  本発明では、紙おしぼりやお手ふきへの加工液の配合成分及びその配合量について安全性を確保し、かつ十分な保存効果を付与することを目的とする。
【課題を解決するための手段】
【０００６】  本発明者らは上記の課題を解決する為、安全性を考慮し、化粧品に配合できる成分の中から複数成分を使用することにより、その相乗効果をもって紙おしぼり・お手ふき保存時の細菌類・真菌類の増殖を抑制する配合を発見し、本発明を完成した。
【発明の効果】
【０００７】  化粧品に添加可能な薬剤の単独使用では弱かった紙おしぼり・お手ふきの防腐効果が、複数成分の配合による相乗効果によって十分な防腐効果が得られた。
【発明を実施するための最良の形態】
【０００８】  本発明の配合組成物は、２−メチル−４−イソチアゾリン−３−オンとブチルカルバミン酸ヨウ化プロビニルを含有する。【０００９】  加工方法は加工する紙ならびに不織布等（以下、原反と称する）の重量に対し、１５０〜２５０％の加工液をスプレーまたは含浸等の方法で加工する。ただし加工する原反によって適切な加工量は異なる。【００１０】  本発明の組成物以外に水，原反の殺菌を目的として安定化二酸化塩素水を配合したり、使用時の清涼感を付与する目的で香料等の成分を配合することもできる。【００１１】  本発明の紙おしぼり・お手ふき加工組成物は２−メチル−４−イソチアゾリン−３−オンとブチルカルバミン酸ヨウ化プロピニルを配合した組成物で、手指の清拭用として使用するものである。
【実施例】
【００１２】  以下、実施例により詳細説明する。しかし本発明はこれらの実施例に限定されるものではない。【００１３】  （実施例１）本発明に使用する２−メチル−４−イソチアゾリン−３−オン、ブチルカルバミン酸ヨウ化プロピニルの配合例を表１に記す。【００１４】  原反（ここではパルプを使用）に表１に記した配合薬剤を原反重量に対し２００％ムラなく含浸により処理した。比較として水のみを加工したものを作成した。【００１５】
【表１】
2008302165.tif 000002
【００１６】使用薬剤
Ａ；２−メチル−４−イソチアゾリン−３−オン（ロームアンドハース（株）コーデ        ック５０Ｃ）
Ｂ；ブチルカルバミン酸ヨウ化プロピニル（三井化学（株）ヨートルＩＰ）
Ｃ；プロピレングリコール（昭和電工（株））
Ｄ；精製水【００１７】（試験１：抗菌・防カビ試験）
試験方法
抗菌試験：ＪＩＳ  Ｌ−１９０２繊維製品の抗菌性試験に準じた。
供試細菌
Ａ：Ｅｓｃｈｅｒｉｃｈｉａ  ｃｏｌｉ  ＮＢＲＣ  ３３０１（大腸菌）
Ｂ：Ｓｔａｐｈｙｌｏｃｏｃｃｕｓ  ａｕｒｅｕｓ  ＮＢＲＣ  １２７３２（黄色ブドウ球菌）
防カビ試験：ＪＩＳ  Ｚ−２９１１カビ抵抗性試験  繊維試験指定繊維カビ
Ａ：Ａｓｐｅｒｇｉｌｌｕｓ  ｎｉｇｅｒ  ＦＥＲＭ  Ｓ−１
Ｂ：Ｐｅｎｉｃｉｌｌｉｕｍ  ｃｉｔｒｉｎｕｍ  ＦＥＲＭ  Ｓ−５
Ｃｈａｅｔｏｍｉｕｍ  ｇｌｏｂｏｓｕｍ  ＦＥＲＭ  Ｓ−１１
Ｍｙｒｏｔｈｅｃｉｕｍ  ｖｅｒｒｕｃａｒｉａ  ＦＥＲＭ  Ｓ−１３  以上３種の混合【００１８】  判定方法
抗菌試験  細菌・・・効果有り  （−）
効果なし  （＋）
防カビ試験・・・ＪＩＳ  Ｚ−２９１１  カビ抵抗性試験  表示方法による
０・・・試料上にカビの発育なし
右側の数値は発育阻止ｍｍ数
１・・・試料上のカビの発育面積が全体の１／３以下
２・・・試料上のカビの発育面積が全体の１／３以上【００１９】  抗菌防カビ試験の結果を表２に示す。【００２０】
【表２】
2008302165.tif 000003
【産業上の利用可能性】
【００２１】  以上のごとく、２−メチル−４−イソチアゾリン−３−オンおよびブチルカルバミン酸ヨウ化プロピニルの配合加工液で処理した紙おしぼりは、優れた抗菌・防カビ効果を発揮する。